【手続補正書】
【提出日】平成16年4月9日(2004.4.9)
【手続補正１】
【補正対象書類名】明細書
【補正対象項目名】全文
【補正方法】変更
【補正の内容】
【発明の名称】着脱可能な位牌のケース型メモリアル札板
【特許請求の範囲】
【請求項１】故人の生前のイメージとその名前などを表示して、礼拝者が他者と混同することなく供養できる事を特徴とする着脱可能な位牌のケース型メモリアル札板。
【請求項２】専用位脾を使用する場合を除き、既存の位脾を加工せずにそのままの状態で使用できる事を特徴とする請求項１記載の着脱可能な位牌のケース型メモリアル札板。【請求項３】大切な位牌の表面を、チリや手あかなどから保護することを目的とした、位牌の一部もしくは全体の表面を覆う事を特徴とする、請求項１または２のいずれかに記載の着脱可能な位牌のケース型メモリアル札板。
【請求項４】ケース型メモリアル札板と一体もしくはこれに固定する場合を除き、繰出し位牌に納める事ができる着脱可能な心髄メモリアル札板を有する事を特徴とする、請求項１，２または３に記載の着脱可能な位牌のケース型メモリアル札板。
【発明の詳細な説明】
【０００１】
【発明の属する技術分野】
本発明は、故人を供養するための位牌（仏壇に置く位牌、過去帳代わりに使用する、繰り込み式位牌、寺位牌などを含むすべての位牌）に関するものである。
【０００２】
【従来の技術】
従来位牌とは、故人の戒名（法名）が書かれた長方形の位牌で、常時仏壇に安置して、その家族が故人の供養の対象としていた。
【０００３】
【本発明が解決しようとする課題】
しかしながら、従来位牌では、表側に戒名、裏側に享年等が明記してあるだけのため、礼拝者が他者と混同し、礼拝する故人の位牌を認識することが困難であった。また、位牌本体が剥き出しのため、チリや手あかにより位牌の汚れが発生するという問題があった。
新たに位牌を作った場合、コストがかかるが前述の問題を解決する事はできない。更に、年月を経て繰り出し位牌に納めるため、新たに専用の札板を作る必要があった。
【０００４】
【発明の目的】
本発明の目的は、上述の点に鑑み、礼拝者が他者と混同することなく故人を供養でき、位牌本体のチリや手あかなどによる汚れを防ぎ、また大事な戒名や享年等を記載した文字が薄れたりすることから位牌を保護する事ができる、着脱可能な位牌のケース型メモリアル札板を提供することにある。なお、本メモリアル札板は、専用位牌を使用する場合を除いて従来位牌を加工せずにそのままの状態で使用する事ができる。
【０００５】
【課題を解決するための手段】
この目的を達成するため、本発明は礼拝する故人の位牌を認識できるイメージ（写真等）や俗名などを有し、専用位牌を使用する場合を除いて位牌を加工せずにそのまま使用でき、位牌の一部もしくは全体を覆う事でチリや手あかなどの汚れから位牌を保護できる着脱可能なケース型の札板とした。また、繰出し位牌に納める事ができるように着脱可能な札板を設けた。
【０００６】
【実施例】
図２は、第１の実施例を示す。
着脱可能な位牌のケース型メモリアル札板１において、表面に固定もしくは着脱可能な心髄メモリアル札板１ｅが設けてあり、その上部に故人の生前のイメージ（遺影、写真、絵、彫刻など）１ａを配置し、必要によって取り付けるイメージの保護カバー１ｂにより覆われている。下部には、故人の名前等（俗名、戒名、享年、絵、言葉、詩など）１ｃを配置している。また裏面には背面窓または穴１ｄを設定する場合もある。
【０００７】
図２の第１の実施例において、心髄メモリアル札板１ｅが着脱可能な場合、仏壇にある既存の繰出し位牌（回出位牌）に納める事が可能である。
【０００８】
図３は、図１に示す従来位牌２にメモリアル札板１を装着した状態で、背面窓または穴１ｄを有する場合、メモリアル札板１を取り外す事なく、位牌の背面の享年等２ｂを見ることができる。第２，第３，第４，第５の実施例の基本的な構成は第１の実施例と同様であり、これによっても位牌の一部もしくは全体を覆った形となり、課題を解決する事ができる。
【０００９】
図８は、第６の実施例として家族位牌８に装着した状態で、メモリアルの要素を強調した実施例である。例えば２名以上の家族が同時に亡くなり１つの位牌にて供養する場合である。家族Ａの戒名等８ａと家族Ｂの戒名等８ｂが表示されている家族位牌８の場合、１名以上の専用メモリアル札板９を用いる事ができる。
【００１０】
専用メモリアル札板９の上部には、家族Ａの生前のイメージ（遺影、写真、絵、彫刻など）９ａとその下部に家族Ａの名前等（俗名、戒名、享年、絵、言葉、詩など）９ｃを配置する。専用メモリアル札板９には、窓または穴９ｅが設けてあり、家族位牌８に装着した際、戒名等８ａ及び８ｂを認識できる構造となっている。同様に、家族Ｂの生前のイメージ９ｂと家族Ｂの名前等９ｄも同様に配置したものである。
【００１１】
図９は、図８と同様に第７の実施例として家族位牌８に装着した状態で、基本的な構成はこれと同様であるが、専用メモリアル札板９の下部に固定もしくは着脱可能な札板台座１０を有する事もできる構造となっており、この場合は札板台座１０の上に家族位牌８が乗る事となる。
【００１２】
図１０は、第８の実施例として従来位牌２に装着した専用メモリアル札板９である。この下部には着脱可能な札板台座１０を有し、上部にはチリから位牌を保護する札板屋根１１を有する構造となっている。
【００１３】
【発明の効果】
本発明は、以上に説明したような構成により次のような効果を奏する。
○  故人の生前のイメージ（遺影等）や俗名などを表示する事で、常に故人を心に思って偲ぶ事ができる。
○  特に故人の位牌の多い家庭や歴史の古い家等において、遺影を置く場所に苦労する事なく仏壇内の場所を有効に利用できる。
○  大事な位牌をチリや手あかから保護する事ができる。
○  着脱可能であるため、法事等の際、必要に応じて位牌から取外し、位牌のみを祭壇に置く事ができる。場合によっては位牌と並べて本メモリアル札板を置く事もできる。
○  着脱可能な心髄メモリアル札板を設ける事で、取外して繰出し位牌に納める事ができる。
【図面の簡単な説明】
【図１】従来の位牌を示す図である
【図２】本考案の第１の実施例を示す図である
【図３】第１の実施例を位牌に装着した状態を示す図である
【図４】第２の実施例を位牌に装着した状態を示す図である
【図５】第３の実施例を位牌に装着した状態を示す図である
【図６】第４の実施例を位牌に装着した状態を示す図である
【図７】第５の実施例を位牌に装着した状態を示す図である
【図８】第６の実施例を位牌に装着した状態を示す図である
【図９】第７の実施例を位牌に装着した状態を示す図である
【図１０】第８の実施例を位牌に装着した状態を示す図である
【符号の説明】
１      着脱可能な位牌のケース型メモリアル札板
１ａ    故人の生前のイメージ（遺影、写真、絵、彫刻など）
１ｂ    イメージ保護カバー
１ｃ    故人の名前等（俗名、戒名、享年、絵、言葉、詩など）
１ｄ    背面窓または穴
１ｅ    心髄メモリアル札板
２      従来位牌
２ａ    戒名
２ｂ    享年等
３      前掛け型着脱可能な位牌のメモリアル札板
４      左右挟型着脱可能な位牌のメモリアル札板
５      分割型着脱可能な位牌のメモリアル札板
５ａ    前面分割型着脱可能な位牌のメモリアル札板
５ｂ    背面分割型着脱可能な位牌のメモリアル札板
６      嵌め込み型着脱可能な位牌のメモリアル札板
７      嵌め込み型専用位牌
８      家族位牌
８ａ    家族Ａの戒名等
８ｂ    家族Ｂの戒名等
９      專用メモリアル札板（１名以上の家族用、イメージ多用など）
９ａ    家族Ａの生前のイメージ（遺影、写真、絵、彫刻など）
９ｂ    家族Ｂの生前のイメージ（遺影、写真、絵、彫刻など）
９ｃ    家族Ａの名前等（俗名、戒名、享年、絵、言葉、詩など）
９ｄ    家族Ｂの名前等（俗名、戒名、享年、絵、言葉、詩など）
９ｅ    窓または穴
１０    札板台座
１１    札板屋根


【手続補正２】
【補正対象書類名】図面
【補正対象項目名】全図
【補正方法】変更
【補正の内容】
【図１】
2004223208.tif 000001
【図２】
2004223208.tif 000002
【図３】
2004223208.tif 000003
【図４】
2004223208.tif 000004
【図５】
2004223208.tif 000005
【図６】
2004223208.tif 000006
【図７】
2004223208.tif 000007
【図８】
2004223208.tif 000008
【図９】
2004223208.tif 000009
【図１０】
2004223208.tif 000010